(57)【要約】【課題】携帯型電子機器に拡張的に接続されるクレードル（拡張装置）に様々な接続状態を切り換えるハブデバイスを組み込み、高音質な音楽を再生することを可能な拡張装置を提供する【解決手段】クレードル１０はＵＳＢハブ２６が設けられている。ＵＳＢハブ２６はＰＣ１２とＰＤＡ１１のデータをクレードル１０への接続状態を判断して、ＵＳＢバス状で送受信されるデータの送信方向を切り換え制御する。このためＵＳＢハブ２６には、ＰＣ１２からのデータ送受信のためのポート２６ａと、ＰＤＡ１１からのデータ送受信のためのポート２６ｂ、クレードル側のデータ粗送受信のためのポート２６ｃが配置されており、各ポートはクレードル１０へのＰＣ１２、ＰＤＡ１２の接続の有無に応じて、送信方向が切り換え制御させる。【選択図】      図２
2004185172.tif 000002
【特許請求の範囲】
【請求項１】
第１の電子機器および第２の電子機器と接続可能な拡張装置において、
前記第１の電子機器または第２の電子機器から送信される音楽データを再生出力する再生手段と、
前記第１の電子機器、前記第２の電子機器、および前記再生手段のデータを送受信する接続ポートを有する接続ハブであって、
前記第１の電子機器と前記第２の電子機器間でのデータ送受信を実行する場合、前記第１の電子機器をホストデバイスとして設定し、前記第２の電子機器をスレーブデバイスとして設定し、
また、前記第２の電子機器の音楽データを前記再生手段で再生する場合、前記第２の電子機器をホストデバイスとして設定し、前記再生手段をスレーブデバイスとして設定するよう接続設定を切り換える切り換え制御手段を
具備したことを特徴とする拡張装置。
【請求項２】
前記接続ハブはＵＳＢハブであることを特徴とする請求項１記載の拡張装置。
【請求項３】
前記第２の携帯型電子機器は、ホストデバイスとして動作するモードとスレーブデバイスとして動作モードを切り換え可能なコントローラを有しており、
前記接続ハブは前記接続ポートの状態に応じて、前記コントローラに対し、動作モードの切り換え指示を実行することを特徴とする請求項１記載の拡張装置。
【請求項４】
前記第１の電子機器が接続されている状態で、前記第２の電子機器の音楽データを再生する場合、前記第１の電子機器の接続を無効化して、前記第２の電子機器をホストデバイスとして設定することを特徴とする請求項３記載の拡張装置。
【発明の詳細な説明】
【０００１】
【発明の属する技術分野】
本発明は、携帯型電子機器が接続可能な拡張装置に特に、携帯型電子機器の音楽コンテンツを音声出力可能な拡張装置に関する。
【０００２】
【従来の技術】
現在携帯型電子機器として、ＰＤＡ（Ｐｅｒｓｏｎａｌ  Ｄｉｇｉｔａｌ  Ａｓｓｉｓｔａｎｃｅ）、シリコンオーディオプレーヤ、ＭＤプレーヤ、音声機能付きデジタルカメラ、ビデオビューワ等が存在し、これら携帯型電子機器は、音声や動画再生機能を有するものが一般的となってきた。動画再生機能を有する携帯型電子機器では、ホストとなるパーソナルコンピュータ（ホストＰＣ）から動画データをダウンロードして携帯型電子機器内の記録装置に動画データを格納させるが、これら音楽や映像データの取り込み方法として一般的にＵＳＢポートなどを利用したケーブルでの機器間接続で実現している。また、これらの携帯電子機器の充電機器としてクレードルと呼ばれる台座を用いる方法が多くとられており、特にＰＤＡでは、このクレードルを介してホストＰＣとのデータシンクロ（ＰＤＡとＰＣのデータの同期作業）を行っている。一方一部のＭＤプレーヤ等では外出時にヘッドフォンで家庭ではスピーカ出力から音楽を楽しめる方法としてクレードルインタフェースにラインアウトの音声出力信号を割り当て、クレードルにスピーカを組み込んでいるものも存在する。
【０００３】
さらには、パーソナルコンピュータで高音質な音楽を楽しむために、ＵＳＢ接続よる拡張スピーカなどが存在する
【特許文献】
特開２００２−２１５２７０号公報  （図１）
【０００４】
【発明が解決しようとする課題】
上述のように一部の携帯型電子機器では、クレードルにスピーカを配置し音楽を再生する機能を備えているものがある。しかしながら、これらの製品は専用のクレードルインタフェースにラインアウト信号を割り当てることによってスピーカを再生する方式であり、特定の携帯型機器のみに対応しており、クレードルに設けられたスピーカが汎用的に利用することができなかった。
【０００５】
そこで本発明は携帯型電子機器に拡張的に接続されるクレードル（拡張装置）に様々な接続状態を切り換えるハブデバイスを組み込み、高音質な音楽を再生することを可能な拡張装置を提供することにある。
【０００６】
【課題を解決するための手段】
本発明は、上述した課題を解決するため、第１の電子機器および第２の電子機器と接続可能な拡張装置において、前記第１の電子機器または第２の電子機器から送信される音楽データを再生出力する再生手段と、前記第１の電子機器、前記第２の電子機器、および前記再生手段に接続する接続ポートを有する接続ハブであって、前記第１の電子機器と前記第２の電子機器間でのデータ送受信を実行する場合、前記第１の電子機器をホストデバイスとして設定し、前記第２の電子機器をスレーブデバイスとして設定し、また前記第２の電子機器の音楽データを前記再生手段で再生する場合、前記第２の電子機器をホストデバイスとして設定し、前記再生手段をスレーブデバイスとして設定するよう接続設定を切り換える切り換え制御手段を具備したものである。
【０００７】
また本発明は上述した課題を解決するため、前記第２の携帯型電子機器は、ホストデバイスとして動作するモードとスレーブデバイスとして動作モードを切り換え可能なコントローラを有しており、前記接続ハブは前記接続ポートの状態に応じて、前記コントローラに対し、動作モードの切り換え指示を実行するものである
【０００８】
また本発明は上述した課題を解決するため、前記第１の電子機器が接続されている状態で、前記第２の電子機器の音楽データを再生する場合、前記第１の電子機器の接続を無効化して、前記第２の電子機器をホストデバイスとして設定するものである。
【０００９】
【発明の実施の形態】
以下、図面を用いて、本発明の実施形態を説明する。
図１は本発明の一実施形態を示すシステム構成例の概念図である。図１に示すように、本実施形態のシステムは、クレードル１０を介して、ＰＤＡ１１とＰＣ１２が接続可能となっており、ＰＣ１２とＰＤＡ１１のデータシンクロ動作や、ＰＣ１２またはＰＤＡ１１から送信される音楽コンテンツなどを、クレードル１０にて音声出力可能となっている。
【００１０】
ＰＤＡ１１は、ペン入力タイプの小型の携帯情報端末であり、端末内の記録メディアを利用して、スケジュール管理や、音楽コンテンツの再生などを実行する。またＰＤＡ１１は本体筐体に設けられたコネクタを、クレードル１０のコネクタに直接接続することで着脱可能に接続することができる。接続方式は、ＵＳＢ方式での接続を適用しており、クレードル１０にＰＤＡ１１を接続した場合、クレードル１０より駆動電源の供給が可能となっている。そこでクレードル１０には、商用電源１３から電力を供給するためのＡＣアダプタ１４が接続される。
【００１１】
パーソナルコンピュータ１２は、本体筐体に設けられたＵＳＢコネクタと、クレードル１０のＵＳＢコネクタとをＵＳＢケーブルで接続することによりクレードル１０とのデータ送受信を実現している。
【００１２】
クレードル１０は、このように、ＰＤＡ１１やＰＣ１２と接続することより、ＰＤＡ１１とＰＣ１２の間でのデータ送受信に介在したり、クレードル１０に設けられたスピーカ１５を利用して、音楽の再生出力を実現する。
【００１３】
図１のような接続形態を成す本実施形態のシステムにおける、内部構成について、図２を用いて説明する。
図２は、本実施形態に示すシステム全体の構成を示すブロック図であり、クレードル１０に、ＰＤＡ１１とＰＣ１２が接続されている。
ＰＣ１２は、汎用のパーソナルコンピュータであり、クレードル１０とＵＳＢ方式にてデータの送受信が可能となるようＵＳＢコントローラ２１が設けられ、ＵＳＢバス２２を経由してクレードル１０と接続される。
【００１４】
ＰＤＡ１１は、本体筐体に配置されたコネクタをクレードル１０に直接接続してデータの送受信をするため、クレードルＩ／Ｆ部２３が設けられており、ＵＳＢ  ＯＴＧコントローラ２４の制御に基づいて、ＵＳＢバス２４を介してクレードル１０とのデータ送受信を行う。
【００１５】
ＵＳＢ  ＯＴＧ（Ｏｎ  ｔｏ  Ｇｏ）コントローラ２５は、ＵＳＢ機器の接続形態に応じて、ホスト側の動作をするか、スレーブ側動作をするか切り換え可能なＵＳＢコントローラであり、ＵＳＢ仕様で標準化されたものである。
【００１６】
クレードル１０はＵＳＢハブ２６が設けられている。ＵＳＢハブ２６はＰＣ１２とＰＤＡ１１のデータをクレードル１０への接続状態を判断して、ＵＳＢバス状で送受信されるデータの送信方向を切り換え制御する。
【００１７】
このためＵＳＢハブ２６には、ＰＣ１２からのデータ送受信のためのポート２６ａと、ＰＤＡ１１からのデータ送受信のためのポート２６ｂ、クレードル側のデータ粗送受信のためのポート２６ｃが配置されており、各ポートはクレードル１０へのＰＣ１２、ＰＤＡ１２の接続の有無に応じて、送信方向が切り換え制御させる。
【００１８】
具体的には、各ポートには、アップポート（ＵＰ）とダウンポート（ＤＰ）の２つの状態を切り換え可能であり、アップポートに設定された場合には、データ入力端子として機能し、ダウンポートに設定された場合にはデータ出力端子として機能する。
【００１９】
ＵＳＢサウンドデバイス２８は、ＵＳＢ仕様に規定されたオーディオ  デバイス  クラス（Ａｕｄｉｏ  Ｄｅｖｉｃｅ  Ｃｌａｓｓ）のＵＳＢコントローラであり、ＵＳＢサウンドデバイス２８に接続されたオーディオコントローラ２９の動作制御を実行する。
【００２０】
オーディオコントローラ２９は、ＰＣ１２やＰＤＡ１１から受信した音楽データをデコードするデコーダ部、外部入力端子（ＬＩＮＥ  ｉＮ）３０から入力されたアナログ音声を、デコードされた音声と合成するミキシング部（ＭＩＸ）、および音声データをＡＭＰ３１で増幅してスピーカユニット３２に音声出力するためのＤ／Ａコンバータ（ＤＡＣ）を含むものである。
【００２１】
クレードル１０に設けられたクレードルＩ／Ｆは、上述したように、ＰＤＡ１１とのデータ送受信のためのＩ／Ｆ機能に加えて、ＰＤＡ１１に電源供給するために、ＡＣアダプタ１４から受け、ＤＣコンバータ３３から受けた電力を、ＰＤＡ１１に供給する。
【００２２】
このような、構成による本実施形態のシステムにおける動作について、以下に説明する。
本実施形態では、クレードル１０、ＰＣ１２およびＰＤＡ１１の接続状態、および、要求機能によって、３通りの動作を実現するため、それぞれの接続状態および要求動作に対応してそれぞれ説明をする。
【００２３】
（１）ＰＣ１２とＰＤＡ１１間でのデータシンクロ動作、またはＰＣ１２から送信される音楽データをクレードル１０にて再生出力する場合。
（ａ）ＵＳＢハブ２６はポート２６ａの状態を検知し、ＰＣ１２がクレードル１０に接続されていると判別した場合には以下の通りポート２６ａ〜２６ｃの状態を設定する。
【００２４】
ポート２６ａ：アップポート（ＵＰ）
ポート２６ｂ：ダウンポート（ＤＰ）
ポート２６ｃ：ダウンポート（ＤＰ）
そして、クレードルＩ／Ｆ２７にて、ＰＤＡ１１のＵＳＢ  Ｉ／ＦのＩＤ端子を無接続状態（ＮＣ）に設定する。
（ｂ）次にＰＤＡ１２は、ＩＤ端子がＮＣ状態のため、ＰＤＡ自身がデフォルトＵＳＢサウンドデバイスとして起動するよう動作する。
（ｃ）従って、ＵＳＢ接続形態としては、ＵＳＢハブ２６を介して、ＰＣ１２にＰＤＡ１１とＵＳＢサウンドデバイス２８が接続された状態となり、ＰＣ１２がホスト機器として動作し、ＰＤＡ１１および、ＵＳＢサウンドデバイス２８はスレーブ機器としてＰＣ１２に制御される。
【００２５】
このような接続状態となることにより、ＰＣ１２からＰＤＡ１１のデータ読み込みを実行することができ、ＰＣ１２とＰＤＡ１１間のデータシンクロ動作が可能となり、またＰＣ１２から音楽データをＵＳＢサウンドデバイス２８に送信することにより、ＰＣ１２の音楽データをクレードル１０のスピーカユニット３２で再生出力可能となる。
【００２６】
（２）ＰＤＡ１１から音楽を再生する場合（ＰＣ１２が無接続、または電源ＯＦＦ時）。
（ａ）ＵＳＢハブ２６がポート２６ａの状態を検知し、ＰＣ１２がクレードル１０に接続されていないと判別した場合、以下の通りポートの状態をセットする。
ポート２６ａ：開放
ポート２６ｂ：アップポート（ＵＰ）
ポート２６ｃ：ダウンポート（ＤＰ）
そして、クレードルＩ／Ｆ２７にて、ＰＤＡ１１のＵＳＢ  Ｉ／Ｆ２３のＩＤ端子をグランド（ＧＮＤ）状態に設定する
（ｂ）次に、ＰＤＡ１１は、ＵＳＢ  Ｉ／Ｆ２３のＩＤ端子がグランド状態である（Ｌｏｗ状態）ことに応じて、ＰＤＡ自身がホストデバイスとして動作するようＵＳＢ  ＯＴＧコントローラ２５の動作モードを切り換える。
【００２７】
（ｃ）従って、ＵＳＢ接続形態としては、ＵＳＢハブ２６を介して、ＰＤＡ１１をホストとして、ＵＳＢサウンドデバイス２８がスレーブとして接続された状態となり、ＰＤＡ１１が、ＵＳＢサウンドデバイス２８を制御可能となる。
【００２８】
これにより、ＰＤＡ１１から音楽データをクレードルに送信して、この音楽データをＵＳＢサウンドデバイス２８の動作制御に基づいて音楽再生することにより、スピーカユニット３２にて再生出力することが可能となる。
【００２９】
（３）ＰＤＡ１２から音楽再生する場合（ＰＣ１２とＰＤＡ１１がクレードル１０に接続されている場合）
ＰＣ１２とＰＤＡ１１がクレードル１０に接続されている場合には、通常上記（１）のように、ＰＣ１２がホストデバイスとなり、ＰＤＡ１１およびクレードル１０（ＵＳＢサウンドデバイス２８）がスレーブ機器となるが、ＰＤＡ１２から音楽再生する場合には、ＰＤＡ１１をホストデバイスとして設定する必要があり、以下のような切り換え動作を実行する。
【００３０】
（ａ）まず上記（１）の状態と同様の接続形態でＰＣ１２がホストデバイスで、ＰＤＡ１１およびＵＳＢサウンドデバイス２８がスレーブデバイスとなるようＵＳＢハブの状態を設定し起動する。
【００３１】
（ｂ）次に、ＰＤＡ１１から音楽再生するために、ＵＳＢ  ＯＴＧコントローラ２５からの切り換え指示により、ＵＳＢハブ２６のポート２６ａ〜２６ｃの状態を切り換える。
【００３２】
ポート２６ａ：開放
ポート２６ｂ：アップポート（ＵＰ）
ポート２６ｃ：ダウンポート（ＤＰ）
（ｃ）これにより、ＵＳＢ接続形態としては、ＵＳＢハブ２６を介して、ＰＤＡ１２とＵＳＢサウンドデバイス２８が接続された状態となり、ＰＤＡ１１がホストデバイスとしてＵＳＢサウンドデバイス２８を制御可能となる。
【００３３】
従って、ＰＤＡ１１から音楽データをクレードルに送信して、この音楽データをＵＳＢサウンドデバイス２８の動作制御に基づいて音楽再生することにより、スピーカユニット３２にて再生出力することが可能となる。
【００３４】
以上説明したように本実施形態によれば、ＰＤＡなどの携帯電子機器の拡張装置であるクレードルにＵＳＢハブを設けることにより、携帯型電子機器をホストデバイスとして動作させることができるため、クレードルに設けられた音楽再生機器で、ＰＤＡの音楽データを再生出力することができる。
【００３５】
【発明の効果】
携帯型電子機器に拡張的に接続されるクレードル（拡張装置）に携帯型電子機器をホストデバイス動作可能とすることにより携帯型電子機器の音楽データをクレードルで再生出力することが可能となる。
【図面の簡単な説明】
【図１】本発明の一実施形態を示すシステムの接続形態を示す概念図である。
【図２】同実施形態のシステム構成を示すブロック図である。
【符号の説明】
１０…クレードル、１１…ＰＤＡ、１２…ＰＣ、２１…ＵＳＢコントローラ、２３…クレードルＩ／Ｆ、２５…ＵＳＢ  ＯＴＧコントローラ、２６…ＵＳＢハブ、２８…ＵＳＢサウンドデバイス、２９…オーディオコントローラ、３２…スピーカユニット。
【図１】
2004185172.tif 000003
【図２】
2004185172.tif 000004